(57)【特許請求の範囲】
【請求項１】
回転切削工具と、
前記回転切削工具を掴持し回転主軸に固定されるチャック装置と、
前記チャック装置の外周面の一部を一周に亘って密着滑動可能に覆う筒状部を有し非回転に保持されるカバーと
を備える回転切削装置において、
前記カバーは、第１供給路を有し、前記チャック装置は、第２供給路と中心部空洞を有し、前記回転切削工具は、その後端面と先端部との各開口を連通するように形成された第３供給路を有し、
切削用液剤と空気との混合気を、前記第１供給路、前記第２供給路、前記中心部空洞、前記第３供給路の順に通して給送し、前記切削用液剤の霧状体を前記回転切削工具の先端部の開口から噴射し、
前記中心部空洞内の回転軸上の位置に絞りが構成され、前記絞りにより前記中心部空洞が前記第２供給路に接続される前室と前記第３供給路に接続される後室とに分けられ、
前記第２供給路が前記混合気を前記絞りに向けて噴射するように配置されており、
前記第２供給路から噴射された前記混合気が前記絞りにより再霧状化され、前記後室及び前記第３供給路を通って前記切削用液剤の霧状体が前記先端部の開口から噴射されることを特徴とする回転切削装置。
【請求項２】
切削用液剤と空気との混合気を圧送する供給管が前記第１供給路の外側開口に接続され、
前記第１供給路は、前記筒状部の周壁を内外方向に貫通して形成され、
前記第２供給路は、一端が前記外周面に開口し、他端が前記中心部空洞に開口して形成され、
前記第１供給路と前記第２供給路とは、前記カバーと前記チャック装置との相対回転に伴って、前記第１供給路の内側開口の少なくとも一部と前記第２供給路の外側開口の少なくとも一部とが対向することで接続し、前記第１供給路の内側開口が前記外周面により覆われるとともに前記第２供給路の外側開口が前記カバーの内周面により覆われることで切断される請求項１に記載の回転切削装置。
【請求項３】
前記絞りは、前記第２供給路の最小径より小径に形成されている請求項１又は請求項２に記載の回転切削装置。
【請求項４】
前記前室は、前記第２供給路から拡径して形成され、前記前室は、前記後室より大容量に形成されている請求項１から請求項３のうちいずれか一に記載の回転切削装置。
【請求項５】
前記後室は、前記回転切削工具の後端面の周縁と前記絞りの下流側円錐状内面とが周接することにより、当該後端面と当該下流側円錐状内面とにより包囲されて形成される請求項１から請求項４のうちいずれか一に記載の回転切削装置。
【請求項６】
切削用液剤と空気との混合気を圧送する供給管が前記第１供給路の外側開口に接続され、
前記第２供給路の全部又は内側開口を含む一部は、前記供給管の混合気出射口の内径以下の内径に形成されている請求項１から請求項５のうちいずれか一に記載の回転切削装置。
【請求項７】
前記第２供給路の外側開口は、下流側に対して拡幅して形成され、周方向の最大内寸が軸方向の最大内寸より大きく形成されている請求項１から請求項６のうちいずれか一に記載の回転切削装置。
【請求項８】
前記第２供給路の外側開口は、周方向に沿った両端部が中央部に向かって徐々に拡幅するように形成されている請求項７に記載の回転切削装置。
【請求項９】
前記第２供給路の前記外側開口の下流に続く流路は、当該外側開口の中心位置よりも回転方向後方にオフセットした位置に形成されている請求項７に記載の回転切削装置。
【請求項１０】
前記チャック装置は、
締付によって縮径することにより前記回転切削工具を掴持する掴持ピースと、
前記絞りを構成する絞りピースと、
前記掴持ピース及び前記絞りピースを前端側から受け入れ内側に保持し、後端が前記回転主軸に締結される筒状のホルダと、
前記掴持ピースに係合し、前記ホルダに羅合して、前記掴持ピースの外テーパを前記ホルダの内テーパに押し付けて前記締付を実現するナットと、
前記絞りピースと前記ホルダの内周面との間を封止するＯ−リングとを有し、前記ホルダには、前記カバーと密着滑動する前記外周面が構成されるとともに、前記第２供給路が形成され、さらに前記ホルダの内周面に後端側が狭くなって前記Ｏ−リングを係止する段差部が周設され、
前記絞りピースには、前記絞りに向かって縮径する円錐状内面が前記絞りの両側に形成され、その上流側円錐状内面の周囲に後端面が設けられ、
前記ホルダの後端側の開口は、前記ホルダが前記回転主軸に締結されることにより塞がれ、
前記ナットの羅合回転により前記締付が実施されるとともに、前記回転切削工具の後端を前記絞りピースの下流側円錐状内面に押し当てて当該絞りピースを後方へ付勢し、前記Ｏ−リングを前記絞りピースの前記後端面と前記ホルダの前記段差部とで挟圧保持することにより前記前室及び前記後室が完成され、
前記第２供給路は前記Ｏ−リングより後端側で前記前室に開口する請求項１から請求項９のうちいずれか一に記載の回転切削装置。
【発明の詳細な説明】
【技術分野】
【０００１】
本発明は、ドリル等の回転切削工具の先端部から切削用液剤と空気とが混合した霧状体を噴射する回転切削装置に関する。
【背景技術】
【０００２】
従来、回転切削加工において切削部の潤滑・冷却等のために、切削部（切刃や被削材）に対し切削油、水溶性クーラント等の切削用液剤を供給することが行われている。
切削部に対する切削用液剤の供給は、回転切削工具の外部から供給する外部供給方式のほか、回転切削工具に設けられた孔から供給する内部供給方式が用いられている（特許文献１−３参照）。
【０００３】
内部供給方式において切削用液剤の供給路は、その流路中心が始終回転中心に配置されて構成された中心供給型が好ましい。中心供給型であれば、非回転部から回転部への供給路の接続が比較的容易であるし、供給路内を流れる流体への遠心力の影響を軽減できる。
しかし、中心供給型は、回転中心で全体を貫く貫通路のある機械構成に限定されるから、採用の幅が狭い。そのため、回転主軸の工具保持端において回転中心から離れた周辺から切削用液剤を供給し、装置内部にて供給路を回転中心へ引き回す周辺供給型も採用される。
周辺供給型であれば、回転切削工具を回転駆動する機械構成に制限を受けないから、既存の旋盤など様々な回転系工作機械に広く採用することができる。その反面、周辺供給型であると、非回転部から回転部への供給路の接続は、回転中心から所定の半径だけ離れた部位で行わなければならないし、供給路を少なくとも一箇所において曲成する必要もある。また、回転中心から離れた供給路では供給路内を流れる流体への遠心力の影響が比較的大きくなるという不利な面もある。
【０００４】
近時、切削用液剤と空気とが混合された霧状体を供給することに優位性があると知られている。霧状にて供給することにより、切削部に対し少量で均一に切削用液剤を供給することができ、加工効率、刃具寿命の向上とともに、切削用液剤の節減とクリーン性や作業効率の向上を推進できるほか、油の霧状体と水の霧状体とを混合して供給することまで可能となる。
【先行技術文献】
【特許文献】
【０００５】
【特許文献１】特開２００３−１８１７４３号公報
【特許文献２】実公平７−３５６９９号公報
【特許文献３】実公平５−１３４７６号公報
【発明の概要】
【発明が解決しようとする課題】
【０００６】
しかし、従来の周辺供給型の回転切削装置で切削用液剤と空気とが混合された霧状体を供給するには、次のような問題がある。
従来の周辺供給型の回転切削装置にあっては、切削用液剤と空気とが混合した霧状体を回転主軸の周辺から供給しても、回転切削工具の先端部に設けられた噴射口から霧状体が良好に噴射されることはなく、一部が液状化して出たり、霧状体が噴出されるも間欠的、脈動的に噴出されたりと、霧状体を安定的に噴射することは困難である。また、その影響で回転切削工具内の供給路を細径化すること、従って小径の回転切削工具を適用することに困難性があった。
霧状体の噴出が不安定化する原因は、回転主軸の周辺から供給された霧状体が遠心力によって供給路の内壁に当たり再液状化すること、再液状化により供給路内に溜まった液体が霧状体の流れに作用して噴出を間欠的、脈動的にし、噴出を不安定にすることにあると考えられる。
遠心力に負けないように単に霧状体の供給圧を高めても、却って供給路の曲成部で霧状体が内壁に当たり再液状化するために、同様の結果を避けることは困難である。
【０００７】
本発明は以上の従来技術における問題に鑑みてなされたものであって、切削用液剤及び空気が回転主軸の周辺から供給され、該回転主軸に保持された回転切削工具の先端部から切削用液剤と空気とが混合した霧状体を噴射するにあたり、良質な霧状体を安定的に噴射することができる回転切削装置を提供することを課題とする。
【課題を解決するための手段】
【０００８】
以上の課題を解決するための請求項１記載の発明は、回転切削工具と、
前記回転切削工具を掴持し回転主軸に固定されるチャック装置と、
前記チャック装置の外周面の一部を一周に亘って密着滑動可能に覆う筒状部を有し非回転に保持されるカバーと
を備える回転切削装置において、
前記カバーは、第１供給路を有し、前記チャック装置は、第２供給路と中心部空洞を有し、前記回転切削工具は、その後端面と先端部との各開口を連通するように形成された第３供給路を有し、
切削用液剤と空気との混合気を、前記第１供給路、前記第２供給路、前記中心部空洞、前記第３供給路の順に通して給送し、前記切削用液剤の霧状体を前記回転切削工具の先端部の開口から噴射し、
前記中心部空洞内の回転軸上の位置に絞りが構成され、前記絞りにより前記中心部空洞が前記第２供給路に接続される前室と前記第３供給路に接続される後室とに分けられ、
前記第２供給路が前記混合気を前記絞りに向けて噴射するように配置されており、
前記第２供給路から噴射された前記混合気が前記絞りにより再霧状化され、前記後室及び前記第３供給路を通って前記切削用液剤の霧状体が前記先端部の開口から噴射されることを特徴とする回転切削装置である。
請求項２記載の発明は、切削用液剤と空気との混合気を圧送する供給管が前記第１供給路の外側開口に接続され、
前記第１供給路は、前記筒状部の周壁を内外方向に貫通して形成され、
前記第２供給路は、一端が前記外周面に開口し、他端が前記中心部空洞に開口して形成され、
前記第１供給路と前記第２供給路とは、前記カバーと前記チャック装置との相対回転に伴って、前記第１供給路の内側開口の少なくとも一部と前記第２供給路の外側開口の少なくとも一部とが対向することで接続し、前記第１供給路の内側開口が前記外周面により覆われるとともに前記第２供給路の外側開口が前記カバーの内周面により覆われることで切断される請求項１に記載の回転切削装置である。
請求項３記載の発明は、前記絞りは、前記第２供給路の最小径より小径に形成されている請求項１又は請求項２に記載の回転切削装置である。
請求項４記載の発明は、前記前室は、前記第２供給路から拡径して形成され、前記前室は、前記後室より大容量に形成されている請求項１から請求項３のうちいずれか一に記載の回転切削装置である。
請求項５記載の発明は、前記後室は、前記回転切削工具の後端面の周縁と前記絞りの下
流側円錐状内面とが周接することにより、当該後端面と当該下流側円錐状内面とにより包囲されて形成される請求項１から請求項４のうちいずれか一に記載の回転切削装置である。
【０００９】
請求項６記載の発明は、切削用液剤と空気との混合気を圧送する供給管が前記第１供給路の外側開口に接続され、
前記第２供給路の全部又は内側開口を含む一部は、前記供給管の混合気出射口の内径以下の内径に形成されている請求項１から請求項５のうちいずれか一に記載の回転切削装置である。
【００１０】
請求項７記載の発明は、前記第２供給路の外側開口は、下流側に対して拡幅して形成され、周方向の最大内寸が軸方向の最大内寸より大きく形成されている請求項１から請求項６のうちいずれか一に記載の回転切削装置である。
【００１１】
請求項８記載の発明は、前記第２供給路の外側開口は、周方向に沿った両端部が中央部に向かって徐々に拡幅するように形成されている請求項７に記載の回転切削装置である。
【００１２】
請求項９記載の発明は、前記第２供給路の前記外側開口の下流に続く流路は、当該外側開口の中心位置よりも回転方向後方にオフセットした位置に形成されている請求項７に記載の回転切削装置である。
【００１３】
請求項１０記載の発明は、前記チャック装置は、
締付によって縮径することにより前記回転切削工具を掴持する掴持ピースと、
前記絞りを構成する絞りピースと、
前記掴持ピース及び前記絞りピースを前端側から受け入れ内側に保持し、後端が前記回転主軸に締結される筒状のホルダと、
前記掴持ピースに係合し、前記ホルダに羅合して、前記掴持ピースの外テーパを前記ホルダの内テーパに押し付けて前記締付を実現するナットと、
前記絞りピースと前記ホルダの内周面との間を封止するＯ−リングとを有し、
前記ホルダには、前記カバーと密着滑動する前記外周面が構成されるとともに、前記第２供給路が形成され、さらに前記ホルダの内周面に後端側が狭くなって前記Ｏ−リングを係止する段差部が周設され、
前記絞りピースには、前記絞りに向かって縮径する円錐状内面が前記絞りの両側に形成され、その上流側円錐状内面の周囲に後端面が設けられ、
前記ホルダの後端側の開口は、前記ホルダが前記回転主軸に締結されることにより塞がれ、
前記ナットの羅合回転により前記締付が実施されるとともに、前記回転切削工具の後端を前記絞りピースの下流側円錐状内面に押し当てて当該絞りピースを後方へ付勢し、前記Ｏ−リングを前記絞りピースの前記後端面と前記ホルダの前記段差部とで挟圧保持することにより前記前室及び前記後室が完成され、
前記第２供給路は前記Ｏ−リングより後端側で前記前室に開口する請求項１から請求項９のうちいずれか一に記載の回転切削装置である。
【発明の効果】
【００１４】
本発明によれば、供給管から圧送された切削用液剤と空気との混合気は、第１供給路と第２供給路との間欠的な接続により内圧を下げることなく限定された接続期間に集中して第２供給路へ圧送され、遠心力に負けるともなく絞りから離れた内壁に衝突することもなくそのまま絞りに向けて噴射され、再液状化が抑制されつつ円滑、迅速に回転軸上に配置された絞りに到達する。
絞りの前室において切削用液剤の霧状化が不十分な場合にも、この絞りの作用により切削用液剤を十分に霧状化して、その後、回転軸上又はその近傍に集中配置された絞り後室及び第３供給路を通して給送することにより遠心力による切削用液剤の再液状化を抑制しつつ切削用液剤の霧状体を回転切削工具の先端部から噴射することができるという効果がある。
【００１５】
また本発明によれば、絞り前室は第２供給路より拡径して形成され、絞りは第２供給路の最小径より小径に形成され、絞り前室は絞り後室より大容量に形成されている。
したがって、第１供給路と第２供給路との接続期間において、絞り前室に切削用液剤と空気の加圧体が蓄えられ、絞り前室は最高圧に達する。絞り前室に蓄えられた切削用液剤と空気の加圧体は絞りにより徐々に送出されるから、第１供給路と第２供給路との切断期間においても絞り前室の内圧は、急降下が抑えられて比較的緩やかに低下する。そして内圧の低下が著しくなる前に、次の第１供給路と第２供給路との接続期間を迎え、比較的小さな上昇で絞り前室は最高圧に復帰する。その結果、回転切削工具の先端部からの噴射の脈動を抑えて安定的に切削用液剤の霧状体を回転切削工具の先端部から噴射することができるという効果がある。すなわち、絞りを設け、相対的に大面積・大容量の絞り前室を設けることによって、脈動変化を緩和させるという効果がある。
【００１６】
第２供給路の全部又は内側開口を含む一部は、供給管の混合気出射口の内径以下の内径に形成されていることが好ましい。
また、第２供給路の外側開口は、下流側に対して拡幅して形成され、周方向の最大内寸が軸方向の最大内寸より大きく形成されていることが好ましい。
さらに、第２供給路の外側開口は、周方向に沿った両端部が中央部に向かって徐々に拡幅するように形成されていることが好ましい。
また第２供給路の外側開口の下流に続く流路は、当該外側開口の中心位置よりも周方向にオフセットした位置に形成されていることが好ましい。
このようにすることにより、第１供給路と第２供給路との接続期間を適度に確保し、供給管から圧送される混合気を第２供給路に円滑に導入し、内圧を下げることなく再液状化を抑制しつつ絞りに向けて強力に噴射することができる。
【図面の簡単な説明】
【００１７】
【図１】本発明の一実施形態に係る回転切削装置の主要部を断面で示した要部側視図である。
【図２】本発明の一実施形態に係る供給管の接続部分の断面図である。
【図３】本発明の一実施形態に係るコレットホルダの斜視図である。
【図４】本発明の一実施形態に係るコレットホルダの部分側面図である。
【図５】本発明の一実施形態に係るチャック装置に構成された第２供給路開閉機構を示す断面図である。
【図６】本発明の一実施形態に係るチャック装置に構成された第２供給路開閉機構の開角度を計算するための補足図である。
【図７】本発明の一実施形態に係るチャック装置に構成された絞り前室の圧力の時間変化を示すグラフ（実線）である。破線グラフは比較例に係る。
【発明を実施するための形態】
【００１８】
以下に本発明の一実施形態につき図面を参照して説明する。以下は本発明の一実施形態であって本発明を限定するものではない。
【００１９】
図１、図２、図３に示すように本発明の一実施形態に係る回転切削装置は、回転切削工具としてのドリル１と、チャック装置２と、カバー３と、供給管４と、コネクタ５とを備える。
チャック装置２は、コレットチャックであり、コレット２１と、コレットホルダ２２と、コレットナット２３と、絞りピース２４と、Ｏ−リング２５とを備える。
【００２０】
チャック装置２はドリル１を掴持する。
コレットホルダ２２は、両端にそれぞれテーパ面を備えた筒状で、コレットホルダ２２の後端が回転主軸６に外嵌され、皿ボルト７によってコレットホルダ２２と回転主軸６とが締結固定される。これによりコレットホルダ２２の後端開口は塞がれる。
【００２１】
さらに組立てるには、皿ボルト７によって締結した後、コレットホルダ２２の前端開口からＯ−リング２５を挿入する。コレットホルダ２２の内周面に、前端側に対し後端側が狭くなって形成された段差部２２ａが周設されている。Ｏ−リング２５は段差部２２ａに係止され、それ以上後端側に移動しないように規制される。
【００２２】
その後、コレットホルダ２２の前端開口から絞りピース２４を挿入する。絞りピース２４には、絞り２４ａに向かって縮径する円錐状内面２４ｂ，２４ｃが絞り２４ａの両側に形成され、その上流側円錐状内面２４ｂの周囲に後端面２４ｄが設けられている。コレットホルダ２２の後端面２４ｄがＯ−リング２５の前端に突き当たって止まる。
上流側円錐状内面２４ｂと、下流側円錐状内面２４ｃとは、それぞれ絞り２４ａにほぼ頂点を配置する円錐状である。また両者はほぼ同一傾斜角である。したがって、コレットホルダ２２の前側半分と後側半分とを対称に構成し、裏表無しに使用可能としてもよい。
【００２３】
その後、コレットホルダ２２の前端開口にコレット２１の後端部を挿入し、コレット２１後端部の外テーパ面をコレットホルダ２２前端部の内テーパに合わせる。また、ドリル１をコレット２１に挿入する。
コレットホルダ２２の前端部外周には雄螺子２２ｂが設けられており、コレットナット２３をコレットホルダ２２の雄螺子２２ｂに羅合させて、コレットナット２３を締め付ける。遅くとも本締めの開始時には、ドリル１の後端を絞りピース２４の下流側円錐状内面２４ｃに当接させる。
コレットナット２３はコレット２１の前端部に係合しコレット２１の前端方向の移動を規制する。したがって、コレットナット２３を締め付けると、コレット２１の外テーパがコレットホルダ２２の内テーパに押し付けられる。
【００２４】
すると、コレット２１は締付によって縮径することによりドリル１を掴持する。それと同時に、ドリル１の後端は絞りピース２４の下流側円錐状内面２４ｃに押し当てられて絞りピース２４を後方へ付勢し、Ｏ−リング２５を絞りピース２４の後端面２４ｄとコレットホルダ２２の段差部２２ａとで挟圧保持する。Ｏ−リング２５は絞りピース２４とコレットホルダ２２の内周面との間を封止する。
これにより絞り前室ｅ及び絞り後室ｆが完成する。このとき、Ｏ−リング２５の断面が挟圧方向（回転軸方向）に圧縮変形することにより、その封止性が高められるとともに、コレットナット２３の締め付けに伴うドリル１の後退が許容されてコレット２１によるドリル１の掴持が完結できる。
チャック装置２の回転中心部に形成された中心部空洞は、絞り２４ａにより絞り前室ｅと絞り後室ｆとに分けられ、回転軸Ｍ上に絞り２４ａが構成される。
絞り後室ｆは、ドリル１の後端面の周縁と絞り２４ａの下流側円錐状内面２４ｃとが密着周接することにより、ドリル１の後端面と当該下流側円錐状内面２４ｃとにより包囲されて形成される。絞り前室ｅは、絞り後室ｆより大容量に形成される。
【００２５】
一方、回転主軸６はベアリング８を介して外筒フレーム９に支持されている。
カバー３は筒状体で、後端が外筒フレーム９に外嵌されて非回転に固定される。このとき、カバー３の前端側の筒状部３ａは、コレットホルダ２２の外周面２２ｃを一周に亘って密着滑動可能に覆う。筒状部３ａには、その周壁を内外方向に貫通する第１供給路ｂが形成されている。
【００２６】
切削用液剤と空気との混合気を圧送する供給管４は、第１供給路ｂの外側開口にコネクタ５を介して接続される。
図２に示すように、供給管４は二重管構造を有しており、内管４ａによって切削用液剤が所定の圧力で矢印方向に圧送され、外管４ｂによって空気が所定の圧力で矢印方向に圧送される。供給管４の先端にはノズル４ｃが付設される。このノズル４ｃにおいて切削用液剤が霧状化し切削用液剤と空気とが混合した混合気となり、第１供給路ｂへ送出される。
供給管４の図示しない根元方向には、エアーバルブ及び切削用液剤のバルブが設けられ、エアーバルブにより空気の供給量が調整され、切削用液剤のバルブにより切削用液剤の供給量が調整され、その結果、切削用液剤と空気の混合比が調整される。
コネクタ５は、第１供給路ｂの内周に設けられた雌螺子に羅合固定される中空ボルト５ａと、中空ボルト５ａの外端開口に嵌入されたニップル５ｂとで構成される。
ニップル５ｂに供給管４の先端部のノズル４ｃが嵌入されて、供給管４が装着される。
【００２７】
コレットホルダ２２には第２供給路が形成されている。第２供給路（ｃ＋ｄ）は、下流側の細径部ｄと、この細径部ｄに対して拡幅して形成され外側開口ｃ１を最大面積とする拡幅部ｃとで構成されている。細径部ｄは、供給管４の混合気出射口ａの内径以下の内径に形成されている。
【００２８】
第２供給路は、一端が外周面２２ｃに開口し、他端が絞り前室ｅに開口する。よって第２供給路の細径部ｄと絞り前室ｅとが接続されている。第２供給路の細径部ｄはＯ−リング２５より後端側で絞り前室ｅに開口する。
第２供給路の外側開口ｃ１（図３参照）は、コレットホルダ２２の回転に伴って第１供給路ｂと第２供給路の拡幅部ｃとを連通させるように配置される。
第２供給路は、その外側開口ｃ１から内側開口ｄ１に辿ったとき前方へ遷移するように回転軸Ｍに対し傾斜した直線状に形成されている。第２供給路の流路中心軸と回転軸Ｍとの交点とほぼ同位置に、絞り２４ａが配置される。かかる配置とすることにより、第２供給路の細径部ｄから噴射される流体が絞り２４ａに向けて噴射されることとなる。
給送の円滑のため、第２供給路を皿ボルト７側に膨らんだ曲線状に形成した方が良いが、直線状の方が加工は容易である。曲線状に形成する場合にも最終的に第２供給路から噴射される流体が絞り２４ａに向けて噴射されるように第２供給路を配置する。
【００２９】
カバー３の筒状部３ａの内周面とコレットホルダ２２の外周面２２ｃとの間には、供給路からの漏れを防止するＸ−リング１０，１０が前後に保持されている。
【００３０】
ドリル１に第３供給路ｇ，ｇが形成されている。第３供給路ｇ，ｇは、一端がドリル１の先端部に開口し、他端がドリル１の後端面に開口する。ドリル１の先端部の開口は、切削用液剤の霧状体の噴射口となる。この噴射口はドリル１の先端に形成される切刃の逃げ面に配置され前方に向けて開口する。また、他の噴射口としてドリル１の先端部の側部に第３供給路ｇ，ｇの開口を形成してもよい。
絞り前室ｅは、第２供給路の細径部ｄから拡径して形成されている。絞り２４ａは、第２供給路の最小径（細径部ｄの径）より小径に形成されている。絞り後室ｆは、第３供給路ｇ，ｇに接続されている。
【００３１】
以上の構造により本回転切削装置は、切削用液剤と空気との混合気を、供給管４、第１供給路ｂ、第２供給路（ｃ＋ｄ）、中心部空洞（絞り前室ｅ→絞り２４ａ→絞り後室ｆ）、第３供給路ｇ，ｇの順でこれらの流路を通して給送し、切削用液剤の霧状体をドリル１の先端部から噴射する。
【００３２】
次に、図３から図６を参照して、第２供給路及びその開閉機構につき説明する。
図３、図４に示すように第２供給路の外側開口ｃ１は、周方向の最大内寸ｃ２が軸方向の最大内寸ｃ３より大きく形成されている。
本実施形態に拘わらず第２供給路に拡幅部ｃを設けずに、第２供給路の全体を供給管の混合気出射口の内径以下の細径部ｄとしてもよい。しかし、本実施形態のように第２供給路の導入部に上記形状の外側開口ｃ１を有する拡幅部ｃを設けることにより、第１供給路ｂと第２供給路ｃとの接続期間を適度に確保しつつ、供給管４から圧送される混合気を第２供給路（ｃ＋ｄ）に円滑に導入することができる。
【００３３】
また図４に示すように第２供給路の外側開口ｃ１は、周方向に沿った両端部が中央部に向かって徐々に拡幅するように形成されている。
また図４に示すように第２供給路の外側開口ｃ１の下流に続く細径部ｄは、外側開口ｃ１の中心位置よりも周方向にオフセットした位置に形成されている。
図５(a)又は図６において矢印で示すようにコレットホルダ２２は回転する。したがって、細径部ｄは外側開口ｃ１の中心位置よりも回転方向後方にオフセットした位置に形成されている。
以上の構成により、供給管４から圧送される混合気を第２供給路の拡幅部ｃで導き、第２供給路の細径部ｄに円滑に導入することができる。
【００３４】
本実施形態において拡幅部ｃはエンドミルにより加工されたものである。細径部ｄの中心軸方向と平行にエンドミルを配置してコレットホルダ２２の外周部を切削することにより、図示のような形状が得られる。
【００３５】
図５に示すように、第１供給路ｂと第２供給路（ｃ＋ｄ）とは、カバー３とコレットホルダ２２との相対回転に伴って、第１供給路ｂの内側開口の少なくとも一部と第２供給路の外側開口ｃ１の少なくとも一部とが対向することで接続し、第１供給路ｂの内側開口がコレットホルダ２２の外周面２２ｃにより覆われるとともに第２供給路の外側開口ｃ１がカバー３の内周面により覆われることで切断される。
したがって、図５(a)→(b)→(c)の変化期間が、第１供給路ｂと第２供給路（ｃ＋ｄ）との接続期間となり、図５(c)→(a)の変化期間が、第１供給路ｂと第２供給路（ｃ＋ｄ）との切断期間となる。
【００３６】
図６に示すように、第１供給路ｂの内径をφＡとする。本実施形態において第１供給路ｂの内径φＡは、第２供給路の外側開口ｃ１の周方向の最大内寸ｃ２に等しく形成される。すなわち、φＡ＝ｃ２である。
コレットホルダ２２の外径とカバー３の筒状部３ａの内径とは実質的に等しく、φＢとする。
以上の条件によると、第１供給路ｂと第２供給路（ｃ＋ｄ）との接続期間に進行する相対角は図示の角θの４倍、すなわち、４θとなる。これを第２供給路開閉機構の開角度と称することとする。φＢ＝２２ｍｍの場合、φＡ＝ｃ２＝１０ｍｍとすることにより良好に霧状体を噴射することができた。この場合、第２供給路開閉機構の開角度４θは、図６に示す幾何学的関係から１１４°と計算される。φＢが２２ｍｍと異なる場合でも、開角度４θが１１４°程度となるように構成することが好ましい。
【００３７】
ここで改めて本回転切削装置の動作につき説明する。
本回転切削装置を使用するには、まず、回転主軸６を駆動するモータを起動して回転主軸６を回転させる。すると、回転主軸６、チャック装置２、ドリル１は、一体回転する。
次に、供給管４のエアーバルブを所望の開度に開け、続いて切削用液剤のバルブを所望の開度に開ける。
すると、上述したように供給管４の内管４ａから噴射される切削用液剤が霧状になって外管４ｂから噴射される空気と混合して、ノズル４ｃにおいて切削用液剤と空気との混合気が生成されて、コネクタ５を介して第１供給路ｂへ送出される。
ノズル４ｃから噴射された混合気は、第１供給路ｂと第２供給路（ｃ＋ｄ）との切断期間においては、外周面２２ｃでせき止められるが、その分内圧は高められ、第１供給路ｂと第２供給路（ｃ＋ｄ）との接続期間において第２供給路の拡幅部ｃに集中的に圧入される。拡幅部ｃに進入した混合気は、拡幅部ｃの工夫された形状によって第２供給路の細径部ｄに導かれる。
細径部ｄに進入した混合気は、内側開口ｄ１から出射し絞り前室ｅ内の空間を飛翔して、絞り２４ａに噴射される。
そして、絞り２４ａによって再霧状化が行われて、絞り後室ｆ、ドリル１内の第３供給路ｇ，ｇを通って、切削用液剤の霧状体がドリル１の先端部から噴射される。
【００３８】
以上のように、供給管４から圧送された切削用液剤と空気との混合気は、第１供給路ｂと第２供給路（ｃ＋ｄ）との間欠的な接続により内圧を下げることなく限定された接続期間に集中して第２供給路（ｃ＋ｄ）へ圧送され、遠心力に負けるともなく絞り２４ａから離れた内壁に衝突することもなくそのまま絞り２４ａに向けて噴射され、再液状化が抑制されつつ円滑、迅速に回転軸上に配置された絞り２４ａに到達する。
そして、絞り前室ｅの前端側のほぼ全面が上流側円錐状内面２４ｂにより形成されており、絞り前室ｅの側部は上流側円錐状内面２４ｂの最大径部に内径が略一致したＯ−リング２５により封止され、絞り前室ｅの後端側も第２供給路の内側開口ｄ１より後方に空間を造ることなく密閉されているから、液溜りし易い空間はない。切削用液剤の一部が再液状化しても、そのほとんどが上流側円錐状内面２４ｂに捕らえられて絞り２４ａにより再霧状化する。
さらに、回転軸Ｍ上又はその近傍に集中配置された絞り後室ｆ及び第３供給路ｇ，ｇを通して給送することにより遠心力による切削用液剤の再液状化を抑制しつつ切削用液剤の霧状体をドリル１の先端部から噴射することができる。
【００３９】
本実施形態においては、絞り前室ｅは第２供給路の細径部ｄより拡径して形成され、絞り２４ａは第２供給路の最小径より小径に形成され、絞り前室ｅは絞り後室ｆより大容量に形成されている。
これにより、混合気の間欠的導入を採用していても、ドリル１の先端部から噴射される霧状体の脈動変化を緩和させるという効果がある。これにつき図７を参照して説明する。
【００４０】
図７は、第１供給路ｂと第２供給路（ｃ＋ｄ）との接続期間を１周期の約１／３、切断期間を１周期の約２／３とした場合を示す。図７に示す実線グラフは本実施形態に係る絞り前室ｅの圧力の時間変化を示し、破線グラフは、本実施形態に対して絞りを大きくした比較例（中心部空洞内を全く絞らない場合を含む）の圧力の時間変化示す。但し、供給管４内のエアー圧を約０．５ＭＰａとする。
【００４１】
第１供給路ｂと第２供給路（ｃ＋ｄ）との接続期間Ｔ１において、絞り前室ｅに切削用液剤と空気の加圧体が蓄えられる。接続期間Ｔ１の終期で絞り前室ｅは最高圧（約０．５ＭＰａ）に達する。
本実施形態にあっては、絞り前室ｅに蓄えられた切削用液剤と空気の加圧体は絞り２４ａにより徐々に送出されから、切断期間Ｔ２においても絞り前室ｅの内圧は、急降下が抑えられて比較的緩やかに低下する。これに対し比較例にあっては、内圧は急降下し切断期間Ｔ２の後期においては大気圧まで低下する。
一方、本実施形態にあっては、内圧の低下が著しくなる前に、次の接続期間Ｔ３を迎え、比較的小さな上昇で絞り前室ｅは最高圧（約０．５ＭＰａ）に復帰する。その結果、ドリル１の先端部からの噴射の脈動を抑えて安定的に切削用液剤の霧状体をドリル１の先端部から噴射することができる。
これに対し比較例にあっては、内圧は、最高圧（約０．５ＭＰａ）と大気圧との間の変化を繰り返すから、噴射の脈動変化が著しくなる。
【００４２】
比較例において脈動変化を抑えるには、接続期間Ｔ１，Ｔ３の割合を大きくするか、第２供給路の流路径を大きくする必要がある。
しかし、接続期間の割合を大きくすれば、混合気が導入される際の流速が低下し、遠心力に負けて内壁にあたり再液状化するおそれがある。流路径を大きくすれば、切削用液剤が溜まる空間が増加して好ましくない。
これに対し本実施形態によれば、接続期間Ｔ１，Ｔ３の割合が小さく、かつ、第２供給路の流路径が小さくても、その分、絞り前室ｅに短期集中的に高圧で混合気を高速導入して導入時の再液状化を防ぎ、そして、第２供給路の最小径よりさらに小径の絞り２４ａを設け、相対的に大面積・大容量の絞り前室ｅを設けることによって、絞り前室ｅに混合気の加圧体をチャージして、チャージした混合気の加圧体を切断期間Ｔ２に亘って絞り２４ａにより絞って少量ずつドリル１内の第３供給路ｇ，ｇへ供給することで、例え第３の供給路ｇ，ｇが比較的細い小径のドリルであっても、脈動変化が抑えられた安定的な霧状体の噴射が可能となる。
【００４３】
なお、以上の実施形態においては、回転切削工具をドリルとしたが、本発明はこれに限定されるものではなく、リーマ、エンドミル等の他の回転切削工具を適用しても良いことは勿論である。
【符号の説明】
【００４４】
１     ドリル
２     チャック装置
３     カバー
４     供給管
５     コネクタ
６     回転主軸
７     皿ボルト
８     ベアリング
９     外筒フレーム
２１   コレット（掴持ピース）
２２   コレットホルダ
２２ａ 段差部
２２ｃ 外周面
２３   コレットナット
２４   絞りピース
２４ａ 絞り
２４ｂ 上流側円錐状内面
２４ｃ 下流側円錐状内面
２４ｄ 後端面
２５   Ｏ−リング
ａ     混合気出射口
ｂ     第１供給路
ｃ     第２供給路の拡幅部
ｃ１   第２供給路の外側開口
ｄ     第２供給路の細径部
ｄ１   第２供給路の内側開口
ｅ     絞り前室
ｆ     絞り後室
ｇ     第３供給路
Ｍ     回転軸
【図１】
0005389584.tif 000002
【図２】
0005389584.tif 000003
【図３】
0005389584.tif 000004
【図４】
0005389584.tif 000005
【図５】
0005389584.tif 000006
【図６】
0005389584.tif 000007
【図７】
0005389584.tif 000008